(57)【要約】【課題】不織布を袋状に縫製しその中にピートモス及び籾殻燻炭を混在する培地を入れて、培地を通気性が良く透水性の良い不織布で包囲することにより、培地全体に湿潤を保持可能とする。【解決手段】高設栽培装置の給水管理が容易な不織布製培地袋において、不織布を袋状に縫製して、その中にピートモス及び籾殻燻炭を培地として入れて入り口を縫合して閉鎖した不織布製培地袋を高設栽培装置上に配置し、その上に給水パイプを配置して不織布製培地袋の表面に給水を行い、不織布を切り開き培地に植栽が容易であり、培地全体の水分量を水分センサーで制御して湿潤を均一に保持し得るものである。 【選択図】図１
2007325555.tif 000002
【特許請求の範囲】
【請求項１】
通気性が良く透水性が良い不織布を袋状に縫製した培地袋を作成し、その培地袋の中に植物を植栽する培地としてピートモス及び籾殻燻炭を入れて縫製して入り口を封鎖してなる不織布製培地袋。
【請求項２】
通気性が良く透水性が良い不織布を袋状に縫製した培地袋の中に植物を植栽する培地としてピートモス及び籾殻燻炭を１対１の割合で混合した培地を入れて縫製して入り口を封鎖してなる請求項１に記載の不織布製培地袋。
【発明の詳細な説明】
【技術分野】
【０００１】
本発明は、高設栽培装置の給水管理が容易な不織布製培地袋に関するものである。
【背景技術】
【０００２】
植物栽培用の高設栽培装置では、ビニールシート製の袋に栽培土壌を入れたパックを高設栽培装置の上に配置する栽培法がある。
この栽培法は、袋状に加工したビニールシートの中に栽培土壌を包むものであるから、植物を植栽する場合には、上面に穴を開けて給水チューブを差込んで給水し、その下面には小孔を開けて残液の排水が行われているが、ビニールシートは水分を蒸散させることができないので、栽培土壌の内部で部分的な湿潤と乾燥のむらが生じ、そこに植栽された植物は根腐れの原因になる。
【０００３】
しかし、特許文献１に開示された植物の植え付け方法は、貫根性の不織布からなる袋内に植物栽培用土壌を封入した土壌パック１と、貫根性不織布５を底敷きとして植物が根を生やした植物マットとを用い、この植物マットを前記土壌パックの上に載せることが記載されているが、この場合の不織布は貫根性であるから従来の防根のために使用される不織布シートのような断根性ではない。
【０００４】
植物を培地に植栽する用途において、透水性がないビニールシートの欠点は植物の発育にとって大きな障害である。具体的には、土壌条件の乾湿のむらにより根腐りの原因となる。又貫根性の不織布を素材にした土壌パックは貫根性であるために、土壌パックを載せる容器を設置することも必要であるなどの問題があった。
【０００５】
この改善策として、図１に示す不織布を糸で袋状に縫製した培地袋は、通気性が良く透水性の良い不織布を使用したものである。不織布は防根シートや紫外線を遮蔽する遮蔽シートとして使用されるものが一般的である。
【特許文献１】特開２００１−２７５４８２号公報
【発明の開示】
【発明が解決しようとする課題】
【０００６】
解決しようとする問題点は、高設栽培装置による栽培法において障害となる培地の全体に湿潤のバランスを保持できない点である。
【課題を解決するための手段】
【０００７】
本発明は、通気性が良く透水性が良い不織布を袋状に縫製した培地袋を作成し、その培地袋の中に植物を植栽する培地としてピートモス及び籾殻燻炭を入れて縫製して入り口を封鎖してなる不織布製培地袋である。この不織布製培地袋を植物栽培のために高設栽培装置の上に置いて、給水タンクより給水パイプを不織布製培地袋の上に配置し、水分センサーで培地の水分を制御して培地全体に湿潤を保持可能とすることを最も主要な特徴とする。
不織布製培地袋を高設栽培装置上に配置し、その上に給水パイプを配置して不織布製培地袋に給水を行い、培地内水分を蒸散させて、横方向へ浸透させて水分量を水分センサーで制御して培地内の湿潤をバランスよく保持し得るものである。
【発明の効果】
【０００８】
本発明の高設栽培装置用の不織布製培地袋は、通気性が良く透水性の良い不織布を用いて袋を縫製するため、給水パイプを袋の上に置いて給水しても蒸散や浸透及び残液の滴下ができるので水分センサーにより制御をすることが可能になり、培地内の湿潤にセンサーが反応して給水と停止が容易になり、これにより給水が周囲に流れず、不織布を通して培地に浸透してゆく結果乾湿のむらが生じる部分が少なくなって湿潤が均一化し得るものである。不織布製培地袋は、給水が多い場合には不織布の隙間より滴下排水もできるので、培地全体の湿潤と乾燥のむらなく湿潤を保持できるという利点がある。
【発明を実施するための最良の形態】
【０００９】
本発明により実施された高設栽培装置の給水管理が容易な不織布製培地袋においては、不織布を袋状に縫製して、その中にピートモス及び籾殻燻炭を培地として入れて、その不織布製袋を高設栽培装置上に配置し、その上に給水パイプを配置して不織布製培地袋に給水を行い、培地内の水分量を水分センサーで制御して湿潤を保持し得るものである。作業者にとっては、高設栽培装置の上に配置した不織布製培地袋の上面の不織布を切り開き植物を培地に植栽して、給水パイプを置くだけで良く、作業性の良い栽培用培地パックを実現したものである。
【実施例１】
【００１０】
図１は、本発明装置の１実施例の断面図であって、図２〜４はその１実施例として使用される不織布製培地袋を糸で縫製し、その中に培地を入れて入り口を縫合した状態を三方向より撮影した写真である。１は、培地を入れた不織布製培地袋、２は、蒸散防止用カバーのシルバーポリエチレンフィルム、３は、給水パイプ、４は、給水タンク、５は、高設栽培装置である。
【００１１】
不織布は、通気性がよく透水性がよいので、培地袋として使用することは成されず、もっぱら日光の遮蔽、雑草の防止用として開発され路地で使用されてきたものであるが、不織布を培地袋に縫製してその中にピートモス、籾殻燻炭を入れることによって不織布の通気性と透水性の利点を生かして、植栽植物の根腐り防止効果が生じるようにした。
【００１２】
高設栽培装置５の上で使用された不織布製培地袋の実用的な例を示す。不織布製培地袋１は、不織布を糸で袋状に縫製してその中に植物を植栽して培地となるピートモスと籾殻燻炭を１対１に混合して入れて入り口を縫合したものである。不織布を培地袋に使用する場合には、通気性が良く透水性が良いので、培地の乾燥を防止しそこに植栽された植物の根に湿潤を保持してやるための仕掛けをすることが必要になる。この仕掛けのために、給水タンク４より給水パイプ３を配置し、給水した培地の湿潤を維持するための蒸散防止用のカバーを不織布製培地袋の上に掛けることが必要になる。そのカバーには、シルバーポリエチレンフィルム２を使用するようにした。培地の湿度は水分センサーを設置して給液システムで制御することができる。
【００１３】
給水と不織布の関係は、給水パイプに点滴チューブを差込んで不織布の上に置くだけで給水できて、給水された余り水は排水が容易にできる。不織布の場合には、水が不織布を通るために栽培土壌全体に広がる。不織布製の袋１の中に入れたピートモスと籾殻燻炭を混合した培地は、粒子が細かいので給水された水は横に浸透することが優れているので土壌条件を良好に保つことができる。
【００１４】
これを、ビニールシートを培地袋にした場合に比べてみると給水チューブの先端をビニールの表面に開けた穴に差込み、さらに下面に開けた小孔より滴下させるため、土壌の中では湿気が多い部分と乾燥した部分のむらが起きることに成る。
【００１５】
不織布製培地袋の中にピートモスと籾殻燻炭を入れたことにより、ペーハ調整ができて約PH５．５に保たれる。バーク堆肥は表面が下がって固まるので耕すことが必要になるが、ピートモスと籾殻燻炭は固まることなく、耕す必要がない。
【００１６】
不織布は織物製培地袋に比べて土壌により袋の目詰まりが無く透水性が持続的である。又不織布製培地袋は、ビニールシート製培地袋に比べて排水性にも優れ、不織布製培地袋の使用年数を５〜７年に長寿命化できる利点がある。
【００１７】
不織布の用途として、通常は紫外線遮蔽カーテン用、防草のために下敷き用として使用されているのみであった。このため、防根性の良い不織布を栽培土壌を入れる袋に縫製して高設栽培装置で使用する例は無かった。特許文献１特開２００１−２７５４８２号公報は、貫根性不織布製袋を栽培土壌をいれるために利用して容器の上に載せて使用する例が記載されているが、普通不織布は紫外線の遮蔽や断根性があって防根シートに使用されるものである。
【産業上の利用可能性】
【００１８】
不織布製培地袋を高設栽培装置の上に配置して容易に給排水ができ、培地を入れる袋を透水性がよく通気性のある不織布を糸で縫製した培地袋にピートモスと籾殻燻炭を１：１の割合で混合して入れることにより培地はペーハ調整が容易になり、約PH５．５に保持される。ピートモスと籾殻燻炭を１：１の割合で混合してある不織布製培地袋の中は、押さえつけても培地が固まらず、透水性が良いので培地の水分調整が培地全体に均一にすることが容易になる。ピートモスと籾殻燻炭を１：１の割合で混合した培地は、トマト、きゅうり、イチゴ、メロンなどの野菜全般の栽培に適し、バラ、ユリ、球根類など花を観賞される栽培植物にとっても適する。微妙な給排水の実施が必要な栽培植物の種類によって好適な湿度条件を均一に維持することができるので、植物は根腐りを起こさない。その培地を入れた不織布製培地袋は、作業者にとっては給水の蒸散と排水の容易さにより作業性が良く重労働の軽減化を達成できることや再利用も可能であるなどの実用的な利便性がある。
【図面の簡単な説明】
【００１９】
【図１】不織布製培地袋の複数のパックを配置した高設栽培装置の実施方法を示した説明図である。（実施例１）
【図２】不織布製培地袋の縫製の実施方法を示した写真である。（実施例１）
【図３】不織布製培地袋の縫製の実施方法を示した写真である。（実施例１）
【図４】不織布製培地袋の縫製の実施方法を示した写真である。（実施例１）
【符号の説明】
【００２０】
１    培地を入れた不織布製培地袋
２    カバーのシルバーポリエチレンフィルム
３    給水パイプ
４    給水タンク
５    不織布製培地袋の支持用高設栽培装置
【図１】
2007325555.tif 000003
【図２】
2007325555.tif 000004
【図３】
2007325555.tif 000005
【図４】
2007325555.tif 000006